(57)【要約】【課題】ファン部材の着脱が容易なレンジフードを提供する。【解決手段】モータ６は、回転軸６ｂを有する。ファン部材４は、モータ６の回転軸６ｂに相対回転不能に嵌合する嵌合部２ｄを有する。スピンナー１は、回転軸６ｂに螺合により取り付けられる。スピンナー１は、ファン部材４に対して相対回転可能となるようにファン部材４に取り付けられている。【選択図】図４
2020003152.tif 000002
【特許請求の範囲】
【請求項１】
回転軸を有するモータと、
前記モータの前記回転軸に相対回転不能に嵌合する嵌合部を有するファン部材と、
前記回転軸に螺合により取り付けられるスピンナーと、を備え、
前記スピンナーは、前記ファン部材に対して相対回転可能となるように前記ファン部材に取り付けられている、レンジフード。
【請求項２】
前記ファン部材は、前記回転軸を中心とした外周側へ延びるフランジ部を有し、
前記スピンナーは、前記フランジ部を前記回転軸の軸方向に挟み込むことで前記ファン部材に取り付けられている、請求項１に記載のレンジフード。
【請求項３】
前記モータは、前記回転軸から外周側へ延びる突出部を有し、
前記ファン部材は、
排気用ファンと、
前記排気用ファンに固定され、かつ前記突出部に嵌合する前記嵌合部を有するベース部材と、を含む、請求項１または２に記載のレンジフード。
【請求項４】
前記モータは、前記回転軸を回転可能に支持するモータ本体を有し、
前記ベース部材は、前記排気用ファンの前記モータ本体側から取り付けられた固定部材により前記排気用ファンに固定されている、請求項３に記載のレンジフード。
【請求項５】
前記回転軸と前記スピンナーとは、前記回転軸の回転方向に対して前記回転軸と前記スピンナーとの螺合が締まるように構成されている、請求項１から請求項４のいずれか１項に記載のレンジフード。
【請求項６】
前記スピンナーは、前記回転軸の先端を覆っている、請求項１から請求項５のいずれか１項に記載のレンジフード。
【請求項７】
前記回転軸は第１ネジ部を有し、
前記スピンナーは、
前記第１ネジ部に噛み合う第２ネジ部を有し、かつ前記第２ネジ部が前記第１ネジ部に噛み合う第１状態と、前記第１ネジ部と前記第２ネジ部との噛み合いが解除された第２状態との間でスライド可能なレバー部材と、
前記第２状態から前記第１状態となるように前記レバー部材を付勢する第１付勢部材と、を有する、請求項１から請求項６のいずれか１項に記載のレンジフード。
【請求項８】
前記スピンナーは、
前記レバー部材を前記第１状態となるようにスライド移動させる第３状態と、前記レバー部材を前記第２状態となるようにスライドさせる第４状態との間で移動可能な作動部材と、
前記第３状態から前記第４状態となるように前記作動部材を付勢する第２付勢部材と、を有する、請求項７に記載のレンジフード。
【発明の詳細な説明】
【技術分野】
【０００１】
本発明は、レンジフードに関するものである。
【背景技術】
【０００２】
従来、特開２０１５−１６９３９３号公報（特許文献１）に記載のレンジフードが知られている。上記公報に記載のレンジフードでは、モータの回転軸先端に設けられた雄ネジが、排気羽根（ファン）の上部天板に設けられた貫通孔に挿通された状態でスピンナーの雌ネジと締結される。これにより、排気羽根がモータの回転軸に固定されている。メンテナンスなどで排気羽根をモータの回転軸から取り外す際には、スピンナーが回転されることにより回転軸から取り外される。
【先行技術文献】
【特許文献】
【０００３】
【特許文献１】特開２０１５−１６９３９３号公報
【発明の概要】
【発明が解決しようとする課題】
【０００４】
従来の排気羽根の取り外しにおいては、排気羽根を片手で押さえながら、スピンナーを回転させる必要があり、排気羽根またはスピンナーを落下させるおそれがあった。
【０００５】
本発明は、上記の課題に鑑みてなされたものであり、その目的は、ファン部材の着脱が容易なレンジフードを提供することである。
【課題を解決するための手段】
【０００６】
本発明のレンジフードは、モータと、ファン部材と、スピンナーとを備えている。モータは、回転軸を有する。ファン部材は、モータの回転軸に相対回転不能に嵌合する嵌合部を有する。スピンナーは、回転軸に螺合により取り付けられる。スピンナーは、ファン部材に対して相対回転可能となるようにファン部材に取り付けられている。
【０００７】
本発明のレンジフードによれば、スピンナーは、ファン部材に取り付けられている。このためスピンナーをモータの回転軸に着脱する際に、スピンナーとファン部材とが分離することはない。よって上記着脱の際にスピンナーまたはファン部材のいずれかの落下が防止できる。
【０００８】
またスピンナーは、ファン部材に対して相対回転可能となるように取り付けられている。このためファン部材をモータの回転軸に相対回転不能に嵌合させつつ、スピンナーをファン部材に対して相対回転させることができる。スピンナーをファン部材に対して相対回転させることにより、スピンナーをモータの回転軸に螺合により取り付けることができる。この螺合により、スピンナーとファン部材とがモータの回転軸に取り付け固定できる。またスピンナーをモータの回転軸に螺合により取り外すことで、スピンナーとファン部材とをモータの回転軸から取り外すことができる。
【０００９】
またファン部材がモータの回転軸に相対回転不能に嵌合されるため、モータの回転軸の回転に伴ってファン部材も回転させることができる。
【００１０】
以上によりファン部材の着脱が容易なレンジフードを実現することができる。
上記レンジフードにおいて、ファン部材は、回転軸を中心とした外周側へ延びるフランジ部を有する。スピンナーは、フランジ部を回転軸の軸方向に挟み込むことでファン部材に取り付けられている。
【００１１】
上記のようにスピンナーがフランジ部を挟み込むことによって、スピンナーがファン部材から分離することが防止できるとともに、スピンナーがファン部材に対して相対回転できるように取り付けることが可能となる。
【００１２】
上記レンジフードにおいて、モータは、回転軸から外周側へ延びる突出部を有する。ファン部材は、排気用ファンと、その排気用ファンに固定されかつ突出部に嵌合する嵌合部を有するベース部材とを含む。
【００１３】
これにより排気用ファンとベース部材とを別途に準備することができ、各部品の加工が容易となる。
【００１４】
上記レンジフードにおいて、モータは、回転軸を回転可能に支持するモータ本体を有する。ベース部材は、排気用ファンのモータ本体側から取り付けられた固定部材により排気用ファンに固定されている。
【００１５】
これによりベース部材を排気用ファンに固定する作業が容易となる。
上記レンジフードにおいて、回転軸とスピンナーとは、回転軸の回転方向に対して回転軸とスピンナーとの螺合が締まるように構成されている。
【００１６】
これにより回転軸の回転により回転軸とスピンナーとが強固に締結されることになる。
上記レンジフードにおいて、スピンナーは、回転軸の先端を覆っている。
【００１７】
これにより回転軸が油汚れの影響を受けにくくなる。
上記レンジフードにおいて、回転軸は第１ネジ部を有する。スピンナーは、レバー部材と、第１付勢部材とを有する。レバー部材は、第１ネジ部に噛み合う第２ネジ部を有し、かつ第２ネジ部が第１ネジ部に噛み合う第１状態と、第１ネジ部と第２ネジ部との噛み合いが解除された第２状態との間でスライド可能である。第１付勢部材は、第２状態から第１状態となるようにレバー部材を付勢する。
【００１８】
これによりレバー部材をスライド操作して第２ネジ部が第１ネジ部と噛み合わない第２状態とすることができる。この第２状態としたスピンナーを回転軸との取付位置に配置した後に第２ネジ部が第１ネジ部に噛み合う第１状態とすることにより、第２ネジ部を第１ネジ部にねじ込む操作なしにスピンナーおよびファン部材を回転軸に取り付けることが可能となる。
【００１９】
またレバー部材をスライド操作して第１ネジ部と第２ネジ部との噛み合いを解除することができる。噛み合いが解除されることにより、スピンナーを回転させることなくスピンナーおよびファン部材をモータの回転軸から取り外すことができる。
【００２０】
また第１付勢部材により第２状態から第１状態となるようにレバー部材が付勢されている。このため外部からレバー部材を操作しない限り第２ネジ部が第１ネジ部に噛み合う状態が維持され、スピンナーおよびファン部材が回転軸に取り付けられた状態が維持される。
【００２１】
上記レンジフードにおいて、スピンナーは、作動部材と、第２付勢部材とを有する。作動部材と、レバー部材を上記第１状態となるようにスライド移動させる第３状態と、レバー部材を上記第２状態となるようにスライドさせる第４状態との間で移動可能である。第２付勢部材は、上記第３状態から上記第４状態となるように作動部材を付勢する。
【００２２】
これによりモータの回転軸が作動部材を第４状態となるように押し込むまでは、作動部材と第２付勢部材とにより、レバー部材の第２ネジ部と回転軸の第１ネジ部とが噛み合わない第２状態までレバー部材はスライド移動されている。このため回転軸が作動部材を押し込むまでは、回転軸がレバー部材と干渉することなくベース部材内へ挿入可能である。このため回転軸をベース部材に挿入する際に作業者がレバー部材を第２状態となるように操作をする必要はない。
【発明の効果】
【００２３】
以上説明したように本発明によれば、ファン部材の着脱が容易なレンジフードを実現することができる。
【図面の簡単な説明】
【００２４】
【図１】本発明の実施の形態１におけるレンジフードの構成を示す斜視図である。
【図２】図１のレンジフードの構成を示す断面図である。
【図３】図１のレンジフードにおけるスピンナー付近の構成を示す部分断面斜視図である。
【図４】図１のレンジフードにおけるスピンナー付近の構成を示す断面図である。
【図５】図１のレンジフードにおけるスピンナー付近の構成を示す分解断面図である。
【図６】本発明の実施の形態２におけるレンジフードのスピンナー付近の構成を示す斜視図である。
【図７】図６のレンジフードにおけるスピンナー付近の構成を示す断面図である。
【図８】図６のレンジフードにおけるスピンナー付近の構成を示す分解断面図である。
【図９】図７のＩＸ−ＩＸ線に沿う断面図である。
【図１０】本発明の実施の形態３におけるレンジフードにおけるスピンナー付近の第３の状態を示す断面図である。
【図１１】図１０のＸＩ−ＸＩ線に沿う断面図である。
【図１２】本発明の実施の形態３におけるレンジフードにおけるスピンナー付近の第４の状態を示す断面図である。
【図１３】図１２のＸＩＩＩ−ＸＩＩＩ線に沿う断面図である。
【図１４】本発明の実施の形態２におけるレンジフードにおけるスピンナー付近の変形例を示す断面図である。
【図１５】図１４におけるスピンナー付近の変形例の動作を示す断面図である。
【発明を実施するための形態】
【００２５】
以下、本発明の実施の形態について図に基づいて説明する。
なお、以下の図においては、同一または相当する部分に同一の符号を付すものとし、重複する説明は繰り返さない。
【００２６】
（実施の形態１）
図１に示されるように、本実施の形態におけるレンジフード１０は、たとえばコンロ（図示せず）の上方に配設されるものである。このレンジフード１０は、本体ハウジング１１、フードケース１２、整流板１３、内装パネル１４などを有している。
【００２７】
本体ハウジング１１は、箱形の形状を有している。本体ハウジング１１の内部には、スピンナー１、ファン部材４などが配置されている。本体ハウジング１１の下端には、フードケース１２が接続されている。フードケース１２の下端には開口が設けられている。
【００２８】
フードケース１２の開口の内側には、整流板１３と内装パネル１４とが装着されている。整流板１３と内装パネル１４との間の隙間は、本体ハウジング１１の内部空間１１ａに通じている。
【００２９】
図２に示されるように、本体ハウジング１１の内部空間１１ａには、スピンナー１と、ファン部材４、モータ６、ファンケーシング８などが配置されている。
【００３０】
ファンケーシング８の底面には吸込口８ａが設けられている。ファンケーシング８の内部空間８ｂは、吸込口８ａを通じて、整流板１３と内装パネル１４との間の隙間１５に通じている。またファンケーシング８は、本体ハウジング１１の外方に延出された排気ダクト（図示せず）に接続されている。
【００３１】
ファン部材４は、ファンケーシング８の内部空間８ｂ内であって吸込口８ａの上方に配置されている。ファン部材４は、ベース部材２と、排気用ファン３とを有している。
【００３２】
排気用ファン３は、たとえばシロッコファンである。この排気用ファン３は、複数のファンブレード３ａと、上部支持板３ｂと、下部支持板３ｃとを有している。複数のファンブレード３ａは、周方向一定ピッチで配置されている。上部支持板３ｂは、複数のファンブレード３ａの各々の上端を支持している。下部支持板３ｃは、複数のファンブレード３ａの各々の下端を支持している。上部支持板３ｂおよび下部支持板３ｃの各々は、円環形状を有している。
【００３３】
ベース部材２は、上部支持板３ｂにおける円環形状の中心に固定されている。ベース部材２は、たとえばボルトなどにより上部支持板３ｂに着脱可能に取り付けられている。
【００３４】
モータ６は、たとえばＡＣ（Alternating  Current）モータである。モータ６は、モータ本体６ａと、回転軸６ｂと、突出部６ｃとを有している。モータ本体６ａは、本体ハウジング１１に固定されている。モータ本体６ａの一部は、ファンケーシング８の内部空間８ｂ内に配置されている。回転軸６ｂは、ファンケーシング８の内部空間８ｂ内においてモータ本体６ａの下端から下方に延びている。突出部６ｃは、回転軸６ｂの外周面から径方向外方に向かって突き出している。
【００３５】
モータ６の回転軸６ｂには、ファン部材４が取り付けられている。ファン部材４は、モータ６の回転軸６ｂに嵌合する嵌合部２ｄを有している。ファン部材４の嵌合部２ｄがモータ６の突出部６ｃに嵌合することにより、ファン部材４は回転軸６ｂに対して相対回転不能に取り付けられている。
【００３６】
スピンナー１は、モータ６の回転軸６ｂに螺合により取り付けられている。スピンナー１は、ファン部材４に対して相対回転可能となるようにファン部材４に取り付けられている。
【００３７】
次に、上記スピンナー１、ファン部材４およびモータ６の詳細な構成について図３〜図５を用いて説明する。
【００３８】
図３および図４に示されるように、ベース部材２は、円筒部２ａと、フランジ部２ｂと、上方突出部２ｃと、嵌合部２ｄとを主に有している。円筒部２ａは円筒形状を有している。円筒部２ａの上面には、雌ネジ部２ｆが設けられている。
【００３９】
フランジ部２ｂは、たとえば円筒部２ａの下端に取り付けられている。フランジ部２ｂは、円筒部２ａの外周面から、回転軸６ｂを中心とした外周側へ延びている。フランジ部２ｂは、円筒部２ａの外周面の全周に設けられていてもよく、またその外周面の一部に設けられていてもよい。フランジ部２ｂの位置は下端に限定されない。
【００４０】
上方突出部２ｃは、円筒部２ａの上端から上方へ延びている。回転軸６ｂを中心とした径方向の寸法において、上方突出部２ｃの径方向寸法は円筒部２ａの径方向寸法よりも小さい。
【００４１】
図５に示されるように、嵌合部２ｄは、上方突出部２ｃの上端に位置している。嵌合部２ｄは、複数の凸部２ｄａと、複数の凹部２ｄｂとにより構成されている。複数の凸部２ｄａおよび複数の凹部２ｄｂは、凸部２ｄａと凹部２ｄｂとが回転軸６ｂの周方向に交互に並ぶように配置されている。本実施の形態では、凸部２ｄａおよび凹部２ｄｂは周方向にたとえば４つずつ配置されている。
【００４２】
ベース部材２には、貫通孔２ｅが設けられている。この貫通孔２ｅは、円筒部２ａの円筒形状の軸中心ＡＸに沿って延びている。
【００４３】
図４に示されるように、排気用ファン３における上部支持板３ｂの中心には、貫通孔３ｂａが設けられている。この貫通孔３ｂａには、ベース部材２の上方突出部２ｃが挿通されている。上方突出部２ｃが貫通孔３ｂａに挿通された状態において、上方突出部２ｃは上部支持板３ｂに対してモータ本体６ａ側に位置し、かつ円筒部２ａは上部支持板３ｂに対してモータ本体６ａとは反対側に位置している。
【００４４】
また上方突出部２ｃが貫通孔３ｂａに挿通された状態において、固定部材５によりベース部材２は排気用ファン３に固定されている。固定部材５は、たとえばボルトであるが、ボルト以外のピンなどであってもよい。
【００４５】
固定部材５は、排気用ファン３に対してモータ本体６ａ側から上部支持板３ｂの貫通孔３ｂｂを貫通して円筒部２ａの雌ネジ部２ｆにねじ込まれている。これによりベース部材２と排気用ファン３とが互いに固定されてファン部材４を構成している。
【００４６】
ベース部材２の貫通孔２ｅにはモータ６の回転軸６ｂが挿入されている。回転軸６ｂが貫通孔２ｅに挿入された状態において、回転軸６ｂから突き出す突出部６ｃは、ベース部材２の嵌合部２ｄに嵌合している。具体的には突出部６ｃが２つの凸部２ｄａの間の凹部２ｄｂに嵌り込んでいる。このように回転軸６ｂの突出部６ｃがベース部材２の嵌合部２ｄに嵌合することにより、ベース部材２は回転軸６ｂに対して相対回転不能となっている。
【００４７】
スピンナー１は、スピンナー本体１ａと、押え部材１ｂと、固定部材１ｃとを主に有している。スピンナー本体１ａは、たとえば略六角形の縁部の全周が同一方向に折り曲げられた蓋形状を有している。スピンナー本体１ａは、雌ネジ部１ａｂ、１ａｃを有している。
【００４８】
雌ネジ部１ａｂ、１ａｃの各々は、スピンナー本体１ａの周縁部が折り曲げられた側の表面に配置されている。雌ネジ部１ａｂ（第２ネジ部）は、六角形のスピンナー本体１ａの中心に位置している。本明細書における六角形の中心とは、六角形の内接円または外接円の中心である。
【００４９】
押え部材１ｂは、円環部１ｂａと、押え部１ｂｃとを有している。円環部１ｂａは、中心に貫通孔１ｂｄを有する円環形状を有している。押え部１ｂｃは、円環部１ｂａの内周端に接続されており、かつ円筒形状を有している。また円環部１ｂａには、複数の貫通孔１ｂｂが設けられている。
【００５０】
固定部材１ｃは、円環部１ｂａの貫通孔１ｂｂを貫通してスピンナー本体１ａの雌ネジ部１ａｃにねじ込まれている。この固定部材１ｃによりスピンナー本体１ａに押え部材１ｂが固定されている。
【００５１】
押え部材１ｂがスピンナー本体１ａに固定された状態において、押え部材１ｂの貫通孔１ｂｄ内にはベース部材２の円筒部２ａが挿通されている。また押え部材１ｂの押え部１ｂｃとスピンナー本体１ａとの間には、ベース部材２のフランジ部２ｂが挟み込まれている。これによりスピンナー１は、ファン部材４（ベース部材２）から分離しないようにファン部材４（ベース部材２）に取り付けられるとともにファン部材４（ベース部材２）に対して相対回転可能に支持されている。
【００５２】
回転軸６ｂが貫通孔２ｅに挿入された状態で、スピンナー本体１ａの雌ネジ部１ａｂに回転軸６ｂ先端の雄ネジ部（第１ネジ部）がねじ込まれている。スピンナー１の雌ネジ部１ａｂに回転軸６ｂの雄ネジ部がねじ込まれることにより、スピンナー１およびファン部材４が回転軸６ｂに固定されている。
【００５３】
次に、上記スピンナー１およびファン部材４の組立方法について図５を用いて説明する。
【００５４】
図５に示されるように、ベース部材２の下方にスピンナー本体１ａが配置される。スピンナー本体１ａとの間でベース部材２のフランジ部２ｂを挟み込むように押え部材１ｂが配置される。固定部材１ｃが押え部材１ｂの貫通孔１ｂｂを貫通した後にスピンナー本体１ａの雌ネジ部１ａｃにねじ込まれる。
【００５５】
これにより押え部材１ｂがスピンナー本体１ａに固定部材１ｃで固定され、スピンナー本体１ａ、押え部材１ｂおよび固定部材１ｃからスピンナー１が構成される。またフランジ部２ｂがスピンナー本体１ａと押え部材１ｂとの間で挟み込まれることにより、スピンナー１がベース部材２から分離しないようにベース部材２に取り付けられるとともにベース部材２に対して相対回転可能に取り付けられる。
【００５６】
この後、ベース部材２の上方突出部２ｃが排気用ファン３の上部支持板３ｂに設けられた貫通孔３ｂａに挿入される。この後、固定部材５が上部支持板３ｂの貫通孔３ｂｂを貫通した後にベース部材２の円筒部２ａに設けられた雌ネジ部２ｆにねじ込まれる。
【００５７】
これによりベース部材２が排気用ファン３に固定部材５で固定され、ベース部材２と排気用ファン３とからファン部材４が構成される。
【００５８】
上記のようにスピンナー１およびファン部材４が組み立てられる。
次に、上記のように組み立てられたスピンナー１およびファン部材４の組立体をレンジフード１０に取り付ける方法について図３および図４を用いて説明する。
【００５９】
図３および図４に示されるように、モータ６の回転軸６ｂが、ベース部材２の貫通孔２ｅに挿入される。この回転軸６ｂの挿入は、回転軸６ｂから突出する突出部６ｃが、ベース部材２の嵌合部２ｄと嵌合するまで行われる。
【００６０】
突出部６ｃが嵌合部２ｄに嵌合する手前から、スピンナー本体１ａの雌ネジ部１ａｂに回転軸６ｂの雄ネジ部がねじ込まれる。このねじ込みは、スピンナー１をベース部材２に対して相対的に回転させることにより行われる。また上記ねじ込みは、突出部６ｃが嵌合部２ｄにおける凹部２ｄｂの底に達するまで行われる。
【００６１】
これによりファン部材４は、回転軸６ｂに相対回転不能に固定される。このため回転軸６ｂがモータ本体６ａから駆動力を受けて回転すると、ファン部材４は回転軸６ｂとともに回転する。
【００６２】
なおスピンナー１およびファン部材４の組立体をレンジフード１０から取り外す作業は、スピンナー１をファン部材４（ベース部材２）に対して相対回転させることにより行われる。取り外し時におけるスピンナー１のファン部材４（ベース部材２）に対する回転方向は、取り付け時におけるスピンナー１のファン部材４（ベース部材２）に対する回転方向と逆方向である。
【００６３】
次に、本実施の形態におけるレンジフードの効果について説明する。
本実施の形態のレンジフードによれば、スピンナー１は、ファン部材４に取り付けられている。このためスピンナー１をモータ６の回転軸６ｂに着脱する際に、スピンナー１とファン部材４との分離が防止できる。よって上記着脱の際にスピンナー１またはファン部材４のいずれかの落下が防止できる。
【００６４】
またスピンナー１は、ファン部材４に対して相対回転可能となるように取り付けられている。このためファン部材４をモータ６の回転軸６ｂに相対回転不能に嵌合させつつ、スピンナー１をファン部材４に対して相対回転させることができる。スピンナー１をファン部材４に対して相対回転させることにより、スピンナー１をモータ６の回転軸６ｂに螺合により取り付けることができる。この螺合により、スピンナー１とファン部材４とがモータ６の回転軸６ｂに取り付け固定できる。またスピンナー１をモータ６の回転軸６ｂから螺合により取り外すことで、スピンナー１とファン部材４とをモータ６の回転軸６ｂから取り外すことができる。
【００６５】
またファン部材４がモータ６の回転軸６ｂに相対回転不能に嵌合されるため、モータ６の回転軸６ｂの回転に伴ってファン部材４も回転させることができる。
【００６６】
以上によりファン部材４の着脱が容易なレンジフード１０を実現することができる。
本実施の形態においては、図４に示されるように、ファン部材４は、回転軸６ｂを中心とした外周側へ延びるフランジ部２ｂを有している。スピンナー１は、フランジ部２ｂを回転軸６ｂの軸方向に挟み込むことでファン部材４に取り付けられている。上記のようにスピンナー１がフランジ部２ｂを挟み込むことによって、スピンナー１がファン部材４から分離することが防止できるとともに、スピンナー１がファン部材４に対して相対回転できるように取り付けることが可能となる。
【００６７】
本実施の形態においては、図４に示されるように、モータ６は、回転軸６ｂから外周側へ延びる突出部６ｃを有している。ファン部材４に含まれるベース部材２は、突出部６ｃに嵌合する嵌合部２ｄを有している。これにより排気用ファン３とベース部材２とを別途に準備することができ、各部品の加工が容易となる。
【００６８】
本実施の形態においては、図４に示されるように、ベース部材２は、排気用ファン３のモータ本体６ａ側から取り付けられた固定部材５により排気用ファン３に固定されている。これによりベース部材２を排気用ファン３に固定する作業が容易となる。
【００６９】
本実施の形態においては、図４に示されるように、回転軸６ｂとスピンナー１とは、回転軸６ｂの回転方向に対して回転軸６ｂとスピンナー１との螺合が締まるように構成されている。具体的には回転軸６ｂの雄ネジ部が回転軸６ｂの回転方向に対して逆ネジとなっている。これにより回転軸６ｂの回転により回転軸６ｂとスピンナー１とが強固に締結されることになる。
【００７０】
本実施の形態においては、図４に示されるように、スピンナー１は、回転軸６ｂの先端（下端）を覆っている。これにより回転軸６ｂの先端がファンケーシング８の内部空間に露出しないため、油汚れの影響を受けにくい。
【００７１】
（実施の形態２）
図６および図７に示されるように、実施の形態２におけるレンジフードの構成は、図３〜図５に示した実施の形態１におけるレンジフードの構成と比較して、スピンナー１およびベース部材２の構成において異なっている。
【００７２】
本実施の形態におけるベース部材２は、ベース下部２Ｌと、ベース上部２Ｕとを有している。ベース下部２Ｌは、円環部２ａａと、フランジ部２ａｂとを有している。円環部２ａａは、円筒形状を有している。円環部２ａａの中心には貫通孔２ａｃが設けられている。円環部２ａａの上面には、雌ネジ部２ｆが設けられている。
【００７３】
フランジ部２ａｂは、円環部２ａａの下端に取り付けられている。フランジ部２ａｂは、円筒部２ａの外周面よりも、回転軸６ｂを中心とした外周側へ張り出している。フランジ部２ａｂは、円環部２ａａの外周面の全周に設けられていてもよく、またその外周面の一部に設けられていてもよい。
【００７４】
ベース上部２Ｕは、張り出し固定部２ｂａと、上方突出部２ｃと、嵌合部２ｄとを有している。張り出し固定部２ｂａは、たとえば円環形状を有しており、かつ中心に貫通孔２ｂｂを有している。
【００７５】
上方突出部２ｃは、張り出し固定部２ｂａの上面から上方へ延びている。回転軸６ｂを中心とした径方向の寸法において、上方突出部２ｃの径方向寸法は張り出し固定部２ｂａの径方向寸法よりも小さい。
【００７６】
図８に示されるように、嵌合部２ｄは、上方突出部２ｃの上端に位置している。嵌合部２ｄは、複数の凸部２ｄａと、複数の凹部２ｄｂとにより構成されている。複数の凸部２ｄａおよび複数の凹部２ｄｂは、凸部２ｄａと凹部２ｄｂとが回転軸６ｂの周方向に交互に並ぶように配置されている。本実施の形態では、凸部２ｄａおよび凹部２ｄｂは周方向にたとえば４つずつ配置されている。
【００７７】
ベース部材２には、貫通孔２ｅが設けられている。この貫通孔２ｅは、円筒部２ａの円筒形状の軸中心ＡＸに沿って延びている。
【００７８】
図７に示されるように、スピンナー１は、スピンナー本体１ａと、押え部材１ｂと、レバー部材１ｄと、付勢部材（第１付勢部材）１ｅとを有している。付勢部材１ｅは、たとえばバネであるが、これに限定されるものではなく付勢力を付与できる部材であればよい。スピンナー本体１ａは、たとえば円形の縁部の全周が同一方向に折り曲げられた蓋形状を有している。
【００７９】
押え部材１ｂは、押え部１ｂｃと、円筒部１ｂｅとを有している。円筒部１ｂｅは、円筒形状を有している。押え部１ｂｃは、円筒部１ｂｅの上端に接続されており、円筒部１ｂｅとの接続部から内周側へ張り出している。押え部１ｂｃの中心には貫通孔１ｂｄが設けられている。
【００８０】
レバー部材１ｄは、雌ネジ形成部１ｄａと、操作部１ｄｂと、接続部１ｄｃとを有している。雌ネジ形成部１ｄａの一方端部には雌ネジ部（第２ネジ部）が形成されている。雌ネジ形成部１ｄａの他方端部には接続部１ｄｃが接続されている。接続部１ｄｃの雌ネジ形成部１ｄａとは反対側には操作部１ｄｂが接続されている。操作部１ｄｂは、スピンナー１およびファン部材４をレンジフード１０に着脱する作業者が、その着脱作業時に操作する部分である。
【００８１】
付勢部材１ｅは、レバー部材１ｄの接続部１ｄｃに嵌められている。なお付勢部材１ｅは、レバー部材１ｄの接続部１ｄｃに嵌められていなくてもよい。
【００８２】
スピンナー本体１ａと押え部材１ｂとは、ボルトなどの固定部材（図示せず）によって互いに固定されている。互いに固定されるスピンナー本体１ａと押え部材１ｂとの間には、ベース下部２Ｌ、レバー部材１ｄおよび付勢部材１ｅが挟み込まれている。
【００８３】
特にベース下部２Ｌのフランジ部２ａｂは、スピンナー本体１ａと押え部材１ｂの押え部１ｂｃとの間で挟み込まれている。これによりベース下部２Ｌは、押え部材１ｂの貫通孔１ｂｄを通じて、互いに固定されたスピンナー本体１ａと押え部材１ｂとの間から抜け出すことが防止されている。つまりベース下部２Ｌは、互いに固定されたスピンナー本体１ａおよび押え部材１ｂから分離しないようにスピンナー本体１ａおよび押え部材１ｂに取り付けられている。また互いに固定されたスピンナー本体１ａと押え部材１ｂとは、ベース下部２Ｌに対して相対回転可能である。
【００８４】
これに伴いスピンナー本体１ａと押え部材１ｂとの間に挟まれたレバー部材１ｄおよび付勢部材１ｅもベース下部２Ｌに対して相対回転可能である。
【００８５】
レバー部材１ｄの雌ネジ形成部１ｄａおよび付勢部材１ｅの各々は、スピンナー本体１ａと押え部材１ｂとの間の空間内に配置されている。一方、レバー部材１ｄの操作部１ｄｂは、スピンナー本体１ａと押え部材１ｂとの間の空間の外に配置されている。レバー部材１ｄの接続部１ｄｃは、スピンナー本体１ａと押え部材１ｂとの間に設けられた開口を通じて、スピンナー本体１ａと押え部材１ｂとの間の空間の内部から外部へ延びている。
【００８６】
レバー部材１ｄは、雌ネジ形成部１ｄａの雌ネジ部が回転軸６ｂの雄ネジ部に噛み合う第１状態と、その第１状態からレバー部材１ｄが矢印Ｂ方向にスライド移動されることによって雌ネジ形成部１ｄａの雌ネジ部と回転軸６ｂの雄ネジ部との噛み合いが解除された第２状態との間でスライド度可能である。
【００８７】
付勢部材１ｅは、たとえばスピンナー本体１ａおよび押え部材１ｂの少なくとも一方の内壁面と雌ネジ形成部１ｄａの端部との双方に当接している。これにより付勢部材１ｅは、スピンナー本体１ａと押え部材１ｂとの間の空間の外部から内部へ向かう方向（操作部１ｄｂから雌ネジ形成部１ｄａに向かう方向：矢印Ａ方向）にレバー部材１ｄを付勢している。つまり付勢部材１ｅは、上記第２状態から上記第１状態となるようにレバー部材１ｄを付勢している。
【００８８】
ボルトなどの固定部材５は、ベース上部２Ｕの貫通孔２ｂｂと上部支持板３ｂの貫通孔３ｂｂとを貫通してベース下部２Ｌの雌ネジ部２ｆにねじ込まれている。これによりベース下部２Ｌ、ベース上部２Ｕおよび排気用ファン３の上部支持板３ｂは、固定部材５により互いに固定されている。これによりベース下部２Ｌ、ベース上部２Ｕおよび排気用ファン３からなるファン部材４が構成されている。
【００８９】
なお図６に示されるように、スピンナー本体１ａの下面には、六角形状の凸部１ａａが設けられていてもよい。この六角形状の凸部１ａａに六角レンチを嵌めてねじ回すことにより、スピンナー１およびファン部材４を回転軸６ｂに取り付け、取り外しが容易となる。
【００９０】
上記以外の本実施の形態の構成は、実施の形態１の構成とほぼ同じであるため、本実施の形態において実施の形態１と同一の要素については同一の符号を付し、その説明を繰り返さない。
【００９１】
次に、上記スピンナー１およびファン部材４の組立方法について図８を用いて説明する。
【００９２】
図８に示されるように、ベース下部２Ｌの下方にレバー部材１ｄ、付勢部材１ｅおよびスピンナー本体１ａが配置される。スピンナー本体１ａとの間でベース下部２Ｌのフランジ部２ａｂを挟み込むように押え部材１ｂが配置される。押え部材１ｂがスピンナー本体１ａに固定部材（図示せず）で固定され、スピンナー本体１ａ、押え部材１ｂ、レバー部材１ｄおよび付勢部材１ｅからスピンナー１が構成される。またフランジ部２ａｂがスピンナー本体１ａと押え部１ｂｃとの間で挟み込まれることにより、スピンナー１がベース下部２Ｌに対して相対回転可能に取り付けられる。
【００９３】
この後、スピンナー１およびベース下部２Ｌの組立体とベース上部２Ｕとが排気用ファン３の上部支持板３ｂを挟み込むように配置される。ボルトなどの固定部材５が、ベース上部２Ｕの貫通孔２ｂｂと上部支持板３ｂの貫通孔３ｂｂとを貫通してベース下部２Ｌの雌ネジ部２ｆにねじ込まれる。これによりベース下部２Ｌ、ベース上部２Ｕおよび排気用ファン３の上部支持板３ｂは、固定部材５により互いに固定される。
【００９４】
これによりベース下部２Ｌおよびベース上部２Ｕの双方が排気用ファン３に固定部材５で固定され、ベース部材２と排気用ファン３とからファン部材４が構成される。
【００９５】
上記のようにスピンナー１およびファン部材４が組み立てられる。
次に、上記のように組み立てられたスピンナー１およびファン部材４の組立体をレンジフード１０に取り付ける方法について図７および図９を用いて説明する。
【００９６】
図７および図９に示されるように、レバー部材１ｄがスピンナー本体１ａと押え部１ｂｃとの内部空間から外部へ引き出される方向（矢印Ｂ方向）に操作部１ｄｂが操作される。上記のように矢印Ｂ方向にレバー部材１ｄが引き出された状態で、ベース上部２Ｕの貫通孔２ｅおよびベース下部２Ｌの貫通孔２ａｃ内にモータ６の回転軸６ｂが挿入される。
【００９７】
上記回転軸の挿入は、回転軸６ｂから突出した突出部６ｃがベース上部２Ｕの嵌合部２ｄに嵌合するまで行われる。突出部６ｃが嵌合部２ｄに嵌合した時点で、レバー部材１ｄを矢印Ｂ方向に引き出す操作が解除される。これによりレバー部材１ｄは、付勢部材１ｅの付勢力により矢印Ａ方向にスライド移動する。
【００９８】
レバー部材１ｄが矢印Ａ方向にスライド移動することにより、レバー部材１ｄの雌ネジ形成部１ｄａにおける雌ネジ部が回転軸６ｂの雄ネジ部（第１ネジ部）に噛み合う。また付勢部材１ｅの付勢力によりレバー部材１ｄの雌ネジ部と回転軸６ｂの雄ネジ部とが噛み合い状態が維持される。これによりスピンナー１およびファン部材４は、ネジ部の締め上げ無しにワンタッチでモータ６の回転軸６ｂに固定される。
【００９９】
なおスピンナー１はベース下部２Ｌに対して相対回転可能に取り付けられている。このため上記のようにスピンナー１およびファン部材４が回転軸６ｂに固定された状態から、スピンナー１がベース下部２Ｌおよび回転軸６ｂに対して相対的に回転されることにより、レバー部材１ｄの雌ネジ部と回転軸６ｂの雄ネジ部との噛み合いがさらに締め上げられてもよい。
【０１００】
またレバー部材１ｄの操作無しで（つまりレバー部材１ｄが矢印Ａ方向に移動した状態で）、回転軸６ｂが貫通孔２ｅ内に挿入されてもよい。この場合、上記回転軸６ｂの挿入により回転軸６ｂの先端がレバー部材１ｄに達した位置から、スピンナー１がベース下部２Ｌおよび回転軸６ｂに対して相対的に回転される。これにより、レバー部材１ｄの雌ネジ部と回転軸６ｂの雄ネジ部とが噛み合って、スピンナー１およびファン部材４がモータ６の回転軸６ｂに固定される。
【０１０１】
上記によりスピンナー１およびファン部材４は、回転軸６ｂに相対回転不能に固定される。このため回転軸６ｂがモータ本体６ａから駆動力を受けて回転すると、ファン部材４は回転軸６ｂとともに回転する。
【０１０２】
なおスピンナー１およびファン部材４を回転軸６ｂから取り外す際には、レバー部材１ｄが矢印Ｂ方向にスライド移動するように操作される。これによりレバー部材１ｄの雌ネジ部と回転軸６ｂの雄ネジ部とが噛み合い状態が解除される。このためスピンナー１をベース下部２Ｌおよび回転軸６ｂに対して相対的に回転させることなく、レバー部材１ｄを矢印Ｂ方向にスライド操作しながらスピンナー１およびファン部材４を回転軸６ｂから引き抜くというワンタッチ操作で、スピンナー１およびファン部材４を回転軸６ｂから取り外すことができる。
【０１０３】
なおスピンナー１およびファン部材４を回転軸６ｂから取り外す際には、スピンナー１がベース下部２Ｌおよび回転軸６ｂに対して相対的に回転されてもよい。
【０１０４】
次に、本実施の形態におけるレンジフードの効果について説明する。
まず本実施の形態のレンジフード１０は、実施の形態１と同様の効果を奏する。
【０１０５】
また本実施の形態においては、図７に示されるように、レバー部材１ｄは、矢印Ａ方向および矢印Ｂ方向のいずれにもスライド可能である。このためレバー部材１ｄは、レバー部材１ｄの雌ネジ部と回転軸６ｂの雄ネジ部とが噛み合う第１状態と、その噛み合いが解除される第２状態との間でスライド可能である。これにより上述したように回転軸６ｂの雄ネジ部をレバー部材１ｄの雌ネジ部にねじ込む操作なしにスピンナー１およびファン部材４を回転軸６ｂに取り付けることが可能となる。
【０１０６】
また本実施の形態においては、レバー部材１ｄを矢印Ｂ方向にスライド操作することでレバー部材１ｄの雌ネジ部と回転軸６ｂの雄ネジ部との噛み合いを解除することができる。噛み合いが解除されることにより、スピンナー１を回転させることなくスピンナー１およびファン部材４をモータ６の回転軸６ｂから取り外すことが可能となる。
【０１０７】
また付勢部材１ｅにより、レバー部材１ｄの雌ネジ部と回転軸６ｂの雄ネジ部とが噛み合うようにレバー部材が付勢されている。このため外部からレバー部材１ｄを操作しない限りレバー部材１ｄの雌ネジ部と回転軸６ｂの雄ネジ部との噛み合う状態が維持され、スピンナー１およびファン部材４が回転軸６ｂに取り付けられた状態が維持される。
【０１０８】
（実施の形態３）
図１０に示されるように、実施の形態３におけるレンジフードの構成は、図６〜図９に示した実施の形態２におけるレンジフードの構成と比較して、レバー部材１ｄの形状が変更されている点と、作動部材１ｆおよび付勢部材１ｇ（第２付勢部材）が追加されている点とにおいて異なっている。
【０１０９】
作動部材１ｆは、ベース部材２（ベース下部２Ｌおよびベース上部２Ｕ）からスピンナー本体１ａに向かうにしたがって幅が大きくなるテーパ形状の断面形状を有している。作動部材１ｆは、たとえば円錐台の形状を有している。作動部材１ｆの形状は、上記テーパ形状を有していれば円錐台に限定されるものではなく円錐形状などであってもよく、またこれ以外の形状であってもよい。
【０１１０】
付勢部材１ｇは、作動部材１ｆとスピンナー本体１ａとの間に配置されている。この付勢部材１ｇにより、作動部材１ｆは、ベース部材２に向かう方向（矢印Ｃ方向）に付勢されている。付勢部材１ｇは、たとえばバネであるが、これに限定されるものではなく付勢力を付与できる部材であればよい。
【０１１１】
レバー部材１ｄは、作動部材１ｆのテーパ形状に沿う断面形状を有するテーパ部１ｄｄを有している。このテーパ部１ｄｄは、作動部材１ｆのテーパ形状の部分に当接可能である。
【０１１２】
作動部材１ｆは、レバー部材１ｄの雌ネジ部と回転軸６ｂの雄ネジ部とが噛み合う位置にレバー部材１ｄをスライド移動させる状態（第３状態）と、その噛み合いが解除される位置にレバー部材１ｄをスライド移動させる状態（第４状態）との間で移動可能である。
【０１１３】
付勢部材１ｇは、作動部材１ｆが上記第４の状態となるように作動部材１ｆを付勢している。
【０１１４】
なお上記以外の本実施の形態の構成は、実施の形態２の構成とほぼ同じであるため、本実施の形態において実施の形態２と同一の要素については同一の符号を付し、その説明を繰り返さない。
【０１１５】
上記スピンナー１およびファン部材４の組立方法に関して、本実施の形態の組立方法は、作動部材１ｆと付勢部材１ｇとが追加で組み込まれる点を除いて実施の形態２の組立方法と同様であるため、その説明を繰り返さない。
【０１１６】
次に、組み立てられたスピンナー１およびファン部材４の組立体をレンジフードに取り付ける方法について図１０〜図１３を用いて説明する。
【０１１７】
図１０に示されるように、スピンナー１およびファン部材４が回転軸６ｂに取り付けられる前には、作動部材１ｆは付勢部材１ｇによりベース部材２へ向かう方向（矢印Ｃ方向）に付勢されている。この作動部材１ｆがレバー部材１ｄのテーパ部１ｄｄに当接することにより、レバー部材１ｄは付勢部材１ｅによる付勢力に抗して矢印Ｂ方向にスライド移動している。
【０１１８】
図１１に示されるように、この状態においてはレバー部材１ｄの雌ネジ部は、回転軸６ｂの雄ネジ部に噛み合わない位置にある。このため回転軸６ｂをベース上部２Ｕの貫通孔２ｅおよびベース下部２Ｌの貫通孔２ａｃ内に挿入した場合、回転軸６ｂはレバー部材１ｄと干渉することなく、回転軸６ｂの雄ネジ部がレバー部材１ｄの雌ネジ部と対向する位置まで挿入される。
【０１１９】
図１２および図１３に示されるように、上記状態から回転軸６ｂがさらに挿入される。これにより回転軸６ｂが付勢部材１ｇの付勢力に抗して作動部材１ｆをスピンナー本体１ａへ向かう方向（矢印Ｄ方向）へ押し込む。作動部材１ｆが押し込まれると、レバー部材１ｄが付勢部材１ｅの付勢力により矢印Ａ方向にスライド移動する。
【０１２０】
レバー部材１ｄが矢印Ａ方向にスライド移動することにより、レバー部材１ｄの雌ネジ形成部１ｄａにおける雌ネジ部が回転軸６ｂの雄ネジ部に噛み合う。また付勢部材１ｅの付勢力によりレバー部材１ｄの雌ネジ部と回転軸６ｂの雄ネジ部とが噛み合い状態が維持される。これによりスピンナー１およびファン部材４は、ネジ部の締め上げ無しにワンタッチでモータ６の回転軸６ｂに固定される。
【０１２１】
なおスピンナー１はベース下部２Ｌに対して相対回転可能に取り付けられている。このため上記のようにスピンナー１およびファン部材４が回転軸６ｂに固定された状態から、スピンナー１がベース下部２Ｌおよび回転軸６ｂに対して相対的に回転されることにより、レバー部材１ｄの雌ネジ部と回転軸６ｂの雄ネジ部との噛み合いがさらに締め上げられてもよい。
【０１２２】
上記によりスピンナー１およびファン部材４は、回転軸６ｂに相対回転不能に固定される。このため回転軸６ｂがモータ本体６ａから駆動力を受けて回転すると、ファン部材４は回転軸６ｂとともに回転する。
【０１２３】
なおスピンナー１およびファン部材４を回転軸６ｂから取り外す際には、レバー部材１ｄが矢印Ｂ方向にスライド移動するように操作される。これによりレバー部材１ｄの雌ネジ部と回転軸６ｂの雄ネジ部との噛み合い状態が解除される。このためスピンナー１をベース下部２Ｌおよび回転軸６ｂに対して相対的に回転させることなく、レバー部材１ｄを矢印Ｂ方向にスライド操作しながらスピンナー１およびファン部材４を回転軸６ｂから引き抜くというワンタッチ操作で、スピンナー１およびファン部材４を回転軸６ｂから取り外すことができる。
【０１２４】
なおスピンナー１およびファン部材４を回転軸６ｂから取り外す際には、スピンナー１がベース下部２Ｌおよび回転軸６ｂに対して相対的に回転されてもよい。
【０１２５】
次に、本実施の形態におけるレンジフードの効果について説明する。
まず本実施の形態のレンジフード１０は、実施の形態１および２と同様の効果を奏する。
【０１２６】
また本実施の形態において、図１２に示されるようにモータ６の回転軸６ｂが作動部材１ｆを矢印Ｄ方向に押し込むまでは、図１０に示されるように作動部材１ｆと付勢部材１ｇとにより、レバー部材１ｄの雌ネジ部と回転軸６ｂの雄ネジ部とが噛み合わない位置までレバー部材１ｄは矢印Ｂ方向にスライド移動されている。このため回転軸６ｂが作動部材１ｆを押し込むまでは、回転軸６ｂがレバー部材１ｄと干渉することなくベース部材２内へ挿入可能である。このため回転軸６ｂをベース部材２に挿入する際に作業者がレバー部材１ｄを矢印Ｂ方向に引き出す操作をする必要はない。
【０１２７】
上記実施の形態２および３においては、レバー部材１ｄをスピンナー本体１ａと押え部材１ｂとの間の空間から矢印Ｂ方向に引き出すことにより、レバー部材１ｄの雌ネジ部と回転軸６ｂの雄ネジ部との噛み合いを解除する場合について説明した。しかし本発明のレンジフードはこれに限定されない。本発明のレンジフードでは、図１４および図１５に示されるように、レバー部材１ｄがスピンナー本体１ａと押え部材１ｂとの間の空間内へ矢印Ａ方向に押し込まれることにより、レバー部材１ｄの雌ネジ部と回転軸６ｂの雄ネジ部との噛み合いが解除されてもよい。
【０１２８】
図１４に示される構成においては、２つのレバー部材１ｄの各々には、貫通孔（または切欠）１ｄｅが設けられている。この貫通孔（または切欠）１ｄｅを挟んで互いに逆側に操作部１ｄｂと雌ネジ形成部１ｄａとが配置されている。回転軸６ｂの雄ネジ部は、この貫通孔（または切欠）１ｄｅに挿入される。このため回転軸６ｂの雄ネジ部が貫通孔（または切欠）１ｄｅに挿入された状態において、操作部１ｄｂと雌ネジ形成部１ｄａとは回転軸６ｂの雄ネジ部を挟んで互いに逆側に位置している。雌ネジ形成部１ｄａは、付勢部材１ｅによって回転軸６ｂの雄ネジ部と噛み合う状態（第１状態）となるように付勢されている。このためレバー部材１ｄの雌ネジ部と回転軸６ｂの雄ネジ部との噛み合いを解除するためには、図１５に示されるようにレバー部材１ｄをスピンナー本体１ａと押え部材１ｂとの間の空間内へ矢印Ａ方向に押し込む必要がある。
【０１２９】
なお図１４および図１５は実施の形態２の変形例として説明したが、同様の構成が実施の形態３に適用されてもよい。これにより実施の形態３の構成においても、レバー部材１ｄをスピンナー本体１ａと押え部材１ｂとの間の空間内へ矢印Ａ方向に押し込むことにより、レバー部材１ｄの雌ネジ部と回転軸６ｂの雄ネジ部との噛み合いが解除される。
【０１３０】
図１４および図１５の構成のうち上記以外の構成は図７に示した実施の形態２の構成とほぼ同じであるため、図７に示した要素と同一の要素については図１４および図１５において同一の符号を付し、その説明を繰り返さない。
【０１３１】
また実施の形態２においては、ベース下部２Ｌおよびベース上部２Ｕが別部品である場合について説明したが、ベース下部２Ｌおよびベース上部２Ｕは実施の形態１のベース部材２のように一体化された１部品であってもよい。
【０１３２】
上記実施の形態１〜３においては回転軸６ｂに設けられた第１ネジ部が雄ネジ部であり、スピンナー１に設けられた第２ネジ部が雌ネジ部である場合について説明したが、第１ネジ部が雌ネジ部で、第２ネジ部が雄ネジ部であってもよい。
【０１３３】
また上記実施の形態２および３においてはベース部材２のフランジ部２ｂ（または２ａｂ）をスピンナー本体１ａと押え部材１ｂとで挟み込む構成について説明したが、スピンナー１がベース部材２に相対回転可能に取り付けられる構成はこれに限定されない。スピンナー１がベース部材２に相対回転可能に取り付けられる構成は、押え部材１ｂを用いずに、スピンナー１側とベース部材２側とのそれぞれに引っ掛けの構成を形成して組立時にそれぞれの引っ掛けを嵌め殺しとすることもできる。この構成によれば部品点数の削減が可能である。またスピンナー１を分割形状とし、分割されたスピンナー１の部分でベース部材２を挟み込むように組み立てる構成が採用されてもよい。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  スピンナー、１ａ  スピンナー本体、１ａａ，２ｄａ  凸部、１ａｂ，１ａｃ，２ｆ  雌ネジ部、１ｂ  押え部材、１ｂａ，２ａａ  円環部１ｂｂ，１ｂｄ，２ｂｂ，２ｅ，３ｂａ，３ｂｂ  貫通孔、１ｂｃ  押え部、１ｂｅ，２ａ  円筒部、１ｃ，５  固定部材、１ｄ  レバー部材、１ｄａ  雌ネジ形成部、１ｄｂ  操作部、１ｄｃ  接続部、１ｄｄ  テーパ部、１ｄｅ  貫通孔（または切欠）、１ｅ，１ｇ  付勢部材、１ｆ  作動部材、２  ベース部材、２Ｌ  ベース下部、２Ｕ  ベース上部、２ａｂ，２ｂ  フランジ部、２ｂａ  張り出し固定部、２ｃ  上方突出部、２ｄ  嵌合部、２ｄｂ  凹部、３  排気用ファン、３ａ  ファンブレード、３ｂ  上部支持板、３ｃ  下部支持板、４  ファン部材、６  モータ、６ａ  モータ本体、６ｂ  回転軸、６ｃ  突出部、８  ファンケーシング、８ａ  吸込口、８ｂ，１１ａ  内部空間、１０  レンジフード、１１  本体ハウジング、１２  フードケース、１３  整流板、１４  内装パネル、１５  隙間。
【図１】
2020003152.tif 000003
【図２】
2020003152.tif 000004
【図３】
2020003152.tif 000005
【図４】
2020003152.tif 000006
【図５】
2020003152.tif 000007
【図６】
2020003152.tif 000008
【図７】
2020003152.tif 000009
【図８】
2020003152.tif 000010
【図９】
2020003152.tif 000011
【図１０】
2020003152.tif 000012
【図１１】
2020003152.tif 000013
【図１２】
2020003152.tif 000014
【図１３】
2020003152.tif 000015
【図１４】
2020003152.tif 000016
【図１５】
2020003152.tif 000017